(57)【要約】【課題】ユーザ認証用の専用装置を利用せずにユーザ認証してロケーションフリー印刷するプリントシステム、画像処理装置および方法を提供すること。【解決手段】本発明の画像処理装置は、電話回線ネットワークを介して、情報処理装置が生成する印刷ジョブを蓄積するサーバ装置にユーザの認証情報を送信し、印刷ジョブを要求する。そして、サーバ装置がユーザの認証をすると、画像処理装置は、ＩＰネットワークを介してサーバ装置から印刷ジョブを受信して印刷を実行する。【選択図】  図２
2013028071.tif 000002
【特許請求の範囲】
【請求項１】
ＩＰネットワークおよび電話回線ネットワークを介して、情報処理装置が生成する印刷ジョブを蓄積するサーバ装置に接続された画像処理装置であって、
前記電話回線ネットワークを介して、前記サーバ装置にユーザの認証情報を送信する送信手段と、
前記電話回線ネットワークを介して、前記サーバ装置に前記印刷ジョブを要求する印刷ジョブ要求手段と、
前記ユーザを認証した前記サーバ装置が送信する前記印刷ジョブを、前記ＩＰネットワークを介して受信して印刷を実行する印刷手段と
を含む、画像処理装置。
【請求項２】
前記画像処理装置は、
前記電話回線ネットワークを介して、前記サーバ装置に対し前記サーバ装置が蓄積している印刷ジョブの識別情報を要求する識別情報要求手段をさらに含み、
前記印刷手段は、
前記印刷ジョブの識別情報を印刷する印刷ジョブを受信して印刷する、請求項１に記載の画像処理装置。
【請求項３】
ＩＰネットワークおよび電話回線ネットワークを介して、情報処理装置が生成する印刷ジョブを蓄積するサーバ装置に接続された画像処理装置を含むプリントシステムであって、
前記画像処理装置は、
前記電話回線ネットワークを介して、前記サーバ装置にユーザの認証情報を送信する送信手段と、
前記電話回線ネットワークを介して、前記サーバ装置に前記印刷ジョブを要求する印刷ジョブ要求手段と、
前記ユーザを認証した前記サーバ装置が送信する前記印刷ジョブを、前記ＩＰネットワークを介して受信して印刷を実行する印刷手段と
を含む、プリントシステム。
【請求項４】
前記画像処理装置は、
前記電話回線ネットワークを介して、前記サーバ装置に対し前記サーバ装置が蓄積している印刷ジョブの識別情報を要求する識別情報要求手段をさらに含み、
前記印刷手段は、
前記印刷ジョブの識別情報を印刷する印刷ジョブを受信して印刷する、請求項３に記載のプリントシステム。
【請求項５】
ＩＰネットワークおよび電話回線ネットワークを介して、情報処理装置が生成する印刷ジョブを蓄積するサーバ装置に接続された画像処理装置が実行する方法であって、前記方法は、前記画像処理装置が、
前記電話回線ネットワークを介して、前記サーバ装置にユーザの認証情報を送信するステップと、
前記電話回線ネットワークを介して、前記サーバ装置に前記印刷ジョブを要求するステップと、
前記ユーザを認証した前記サーバ装置が送信する前記印刷ジョブを、前記ＩＰネットワークを介して受信して印刷を実行するステップと
を含む、方法。
【請求項６】
前記方法は、前記画像処理装置が、
前記電話回線ネットワークを介して、前記サーバ装置に対し前記サーバ装置が蓄積している印刷ジョブの識別情報を要求するステップをさらに含み、
前記印刷を実行するステップは、
前記印刷ジョブの識別情報を印刷する印刷ジョブを受信して印刷するステップを含む、請求項５に記載の方法。
【請求項７】
電話回線ネットワークを介して、情報処理装置が生成する印刷ジョブを蓄積するサーバ装置に接続された画像処理装置であって、
前記電話回線ネットワークを介して、前記サーバ装置にユーザの認証情報を送信する送信手段と、
前記電話回線ネットワークを介して、前記印刷ジョブによって印刷すべき画像データを含むＦＡＸデータを前記サーバ装置に要求するＦＡＸデータ要求手段と、
前記ユーザを認証した前記サーバ装置が送信する前記ＦＡＸデータを、前記電話回線ネットワークを介して受信して印刷する印刷手段と
を含む、画像処理装置。
【請求項８】
前記画像処理装置は、
前記電話回線ネットワークを介して、前記サーバ装置に対し前記サーバ装置が蓄積している印刷ジョブの識別情報を含むＦＡＸデータを要求する識別情報要求手段をさらに含み、
前記印刷手段は、
前記印刷ジョブの識別情報を含むＦＡＸデータを受信して印刷する、請求項７に記載の画像処理装置。
【発明の詳細な説明】
【技術分野】
【０００１】
本発明は、ロケーションフリー印刷を行うプリントシステムに関し、より詳細には、ユーザ認証用の専用装置を使用せずにロケーションフリー印刷を行うプリントシステム、画像処理装置および方法に関する。
【背景技術】
【０００２】
現在、様々なビジネスシーンでノート型ＰＣやタブレット型ＰＣ、ＰＤＡ等の携帯型情報処理端末が利用されている。このようなモバイル・ビジネス環境では、ユーザは、外出先等でドキュメントを印刷する必要が発生する場合も多く、そのニーズに応えるために、外出先や様々な場所で自由かつ簡易に印刷を行うことができるロケーションフリー印刷システムが提案されている。
【０００３】
このようなロケーションフリー印刷システムの一例として、特許文献１は、クライアントＰＣが作成した文書の印刷データを印刷サーバに送信し、ユーザ認証機能を有するプリンタでユーザ認証をして印刷サーバに印刷要求を送信し、印刷サーバが、印刷対象の文書の印刷データをプリンタにスプールして印刷を行う印刷システムを開示する。
【発明の概要】
【発明が解決しようとする課題】
【０００４】
しかしながら、特許文献１が開示する印刷システムでは、ロケーションフリー印刷を行うためには、ＩＣカードリーダや虹彩読取装置、指紋読取装置等のユーザ認証用の専用装置を使用してユーザ認証をする必要であり、既存の設備を利用してユーザ認証を行うことができないという問題があった。
【０００５】
本発明は、上記従来技術の問題に鑑みてなされたものであり、ユーザ認証用の専用装置を利用せずにユーザ認証してロケーションフリー印刷するプリントシステム、画像処理装置および方法を提供することを目的とするものである。
【課題を解決するための手段】
【０００６】
上記課題を解決するために、本発明は、電話回線ネットワークを介して、情報処理装置が生成する印刷ジョブを蓄積するサーバ装置にユーザの認証情報を送信し、印刷ジョブを要求し、サーバ装置がユーザの認証をすると、ＩＰネットワークを介してサーバ装置から印刷ジョブを受信して印刷を実行する画像処理装置を提供する。また、本発明は、電話回線ネットワークを利用してユーザ認証をしてロケーションフリー印刷をするプリントシステムおよび方法を提供する。
【発明の効果】
【０００７】
本発明は、上記構成を採用することにより、ユーザ認証を行う専用装置を必要とすることなく、既存の電話回線ネットワークを利用してユーザ認証してロケーションフリー印刷をすることができる。
【図面の簡単な説明】
【０００８】
【図１】本発明のプリントシステムの一実施形態を示す概略図。
【図２】図１に示す実施形態のプリントシステム１００に含まれるプリントサーバ１２０および画像処理装置１１８の機能構成を示す図。
【図３】図１に示すプリントシステムを使用して印刷する場合に実行される一連の処理を示すシーケンス図。
【図４】図２に示す画像処理装置が実行する処理を示すフローチャート。
【図５】図２に示すプリントサーバが実行する処理を示すフローチャート。
【図６】本発明のプリントシステムの別の実施形態を示す概略図。
【図７】図６に示すプリントシステム６００に含まれるプリントサーバ６２０および画像処理装置６３２の機能構成を示す図。
【図８】図７に示す画像処理装置が実行する処理を示すフローチャート
【図９】図７に示すプリントサーバが実行する処理を示すフローチャート。
【発明を実施するための形態】
【０００９】
以下、本発明について実施形態をもって説明するが、本発明は、後述する実施形態に限定されるものではない。図１は、本発明のプリントシステムの一実施形態を示す概略図である。
【００１０】
プリントシステム１００は、ＩＰネットワーク１１０および電話回線ネットワーク１３０の２のネットワークで構築されている。ＩＰネットワーク１１０には、情報処理装置１１２ａ，１１２ｂ，１１２ｃと、画像処理装置１１４と、印刷装置１１６とが接続されており、ＩＰネットワーク１１０および電話回線ネットワーク１３０の双方には、画像処理装置１１８と、プリントサーバ１２０とが接続されている。
【００１１】
ＩＰネットワーク１１０は、イーサネット（登録商標）およびＴＣＰ／ＩＰプロトコルを使用したネットワークとして構成されており、例えば、ローカルエリアネットワーク（ＬＡＮ）として実装することができる。また、ＩＰネットワーク１１０は、インターネットやワイドエリアネットワーク（ＷＡＮ）などの公共ネットワークを適宜含ませて実装することもできる。
【００１２】
電話回線ネットワーク１３０は、電話回線によって形成されるネットワークであり、当該ネットワークに接続された基地局（図示せず）を介した電話接続を提供する。本実施形態では、電話回線ネットワーク１３０はプッシュ回線であるが、他の実施形態ではダイヤル回線とすることもできる。
【００１３】
情報処理装置１１２ａ，１１２ｂ，１１２ｃは、文書や図面等の種々のデータを生成し、当該データを印刷する印刷ジョブを生成する情報処理装置である。情報処理装置１１２ａ，１１２ｂ，１１２ｃは、ＩＰネットワーク１１０に無線または有線により接続することができ、印刷ジョブをプリントサーバ１２０に送信する。本実施形態では、情報処理装置１１２ａ，１１２ｂ，１１２ｃは、ノート型ＰＣやタブレット型ＰＣ、ＰＤＡ、スマートフォン等の携帯型の情報処理装置を採用することができる。
【００１４】
画像処理装置１１４は、ＦＡＸ装置やスキャナ装置、プロッタ等を含んで構成されるＭＦＰ（Multi-Function Peripheral）などの画像処理装置であり、ＩＰネットワーク１１０におけるネットワークプリンタとして機能する。画像処理装置１１４は、ＩＣカードリーダや指紋読取装置、虹彩読取装置等のユーザ認証用の専用装置を備えている。印刷装置１１６は、ＩＰネットワーク１１０におけるネットワークプリンタとして機能するページプリンタである。印刷装置１１６は、画像処理装置１１４と同様に、ＩＣカードリーダや指紋読取装置等の認証装置を備えている。
【００１５】
画像処理装置１１８は、ＦＡＸ装置やスキャナ装置、プロッタ等を含んで構成されるＭＦＰなどの画像処理装置である。画像処理装置１１８は、プリントサーバ１２０からＩＰネットワーク１１０を介して印刷ジョブを取得して印刷を行うネットワークプリンタとして機能する。また、画像処理装置１１８は、電話回線ネットワーク１３０を介してプリントサーバ１２０と、ユーザが入力した番号の送信や音声信号の受信を行う。
【００１６】
画像処理装置１１８は、ＣＰＵやＭＰＵ等のプロセッサを搭載し、ＷＩＮＤＯＷＳ（登録商標）シリーズ、ＵＮＩＸ（登録商標）、ＬＩＮＵＸ（登録商標）などのＯＳの管理下で、アセンブラ、Ｃ、Ｃ＋＋、Ｊａｖａ（登録商標）、ＪａｖａＳｃｒｉｐｔ（登録商標）、ＰＥＲＬ、ＲＵＢＹ、ＰＹＴＨＯＮなどのプログラム言語で記述された本実施形態のプログラムを実行する。
【００１７】
また、画像処理装置１１８は、プログラムを実行するための実行空間を提供するＲＡＭ、プログラムやデータなどを持続的に保持するためのハードディスク装置（以下、「ＨＤＤ」とする。）やフラッシュＲＯＭなどを含んでおり、本実施形態の各機能手段をプログラムの実行により、当該画像処理装置上に実現する。
【００１８】
プリントサーバ１２０は、情報処理装置１１２ａ，１１２ｂ，１１２ｃが生成する印刷ジョブを管理して画像処理装置１１８に印刷を実行させるサーバ装置である。プリントサーバ１２０は、情報処理装置１１２ａ，１１２ｂ，１１２ｃから印刷ジョブを受信して蓄積し、画像処理装置１１８からの印刷要求に応じて印刷ジョブを送信する。また、プリントサーバ１２０は、画像処理装置１１８で印刷をしようとするユーザの認証を行い、正当な権限を有するユーザに対してのみ印刷を許可する。
【００１９】
プリントサーバ１２０は、種々のＣＰＵを搭載し、ＷＩＮＤＯＷＳ（登録商標）サーバ等のＷＩＮＤＯＷＳ（登録商標）シリーズ、ＭＡＣ（登録商標）ＯＳ、ＵＮＩＸ（登録商標）、ＬＩＮＵＸ（登録商標）などのＯＳの管理下で、アセンブラ、Ｃ、Ｃ＋＋、Ｊａｖａ（登録商標）、ＪａｖａＳｃｒｉｐｔ（登録商標）、ＰＥＲＬ、ＲＵＢＹ、ＰＹＴＨＯＮなどのプログラム言語で記述された本実施形態のプログラムを実行する。
【００２０】
プリントサーバ１２０は、プログラムを実行するための実行空間を提供するＲＡＭ、プログラムやデータなどを持続的に保持するためのＨＤＤなどを含んでおり、本実施形態の各機能手段をプログラムの実行により、プリントサーバ上に実現する。
【００２１】
図２は、図１に示す実施形態のプリントシステム１００に含まれるプリントサーバ１２０および画像処理装置１１８の機能構成を示す図である。以下、図２を参照して、プリントサーバ１２０および画像処理装置１１８が実装する処理機能について説明する。
【００２２】
プリントサーバ１２０は、制御部２０２と、接続部２０４と、信号送信部２０６と、音声情報格納部２０８とを含んで構成される。制御部２０２は、プリントサーバ１２０の全体制御を行う機能手段であり、プリントサーバ１２０の各種機能を用いて種々の機能を実現する。
【００２３】
接続部２０４は、画像処理装置１１８との間で電話回線ネットワーク１３０を介した通信接続を制御する機能手段である。接続部２０４は、電話回線ネットワーク１３０を介して画像処理装置１１８からコールされると、画像処理装置１１８との接続を確立する。
【００２４】
信号送信部２０６は、電話回線ネットワーク１３０を介して画像処理装置１１８に対し信号を送信する機能手段である。信号送信部２０６は、画像処理装置１１８との接続が確立されると、音声情報格納部２０８に保存されている音声信号を画像処理装置１１８に送信する。音声情報格納部２０８には、種々の音声メッセージを形成する音声信号が保存されており、信号送信部２０６は、これらの音声メッセージを画像処理装置１１８に送信して再生させる。
【００２５】
また、プリントサーバ１２０は、認証部２１０と、認証情報格納部２１２と、印刷ジョブ格納部２１４と、印刷ジョブ生成部２１６と、印刷ジョブ送信部２１８とを含んで構成される。
【００２６】
認証部２１０は、画像処理装置１１８を使用して印刷を実行しようとするユーザの認証を行う機能手段である。認証情報格納部２１２には、ユーザＩＤやパスワード等の認証情報が保存されており、認証部２１０は、電話回線ネットワーク１３０を介して画像処理装置１１８から受信した認証情報を、認証情報格納部２１２に保存されている認証情報と照合することにより、ユーザの認証を行う。
【００２７】
印刷ジョブ格納部２１４は、情報処理層１１２ａ，１１２ｂ，１１２ｃから受信した印刷ジョブが、当該印刷ジョブの識別情報である印刷ジョブＩＤと関連付けて保存される記憶手段である。
【００２８】
印刷ジョブ生成部２１６は、印刷ジョブＩＤのリストを印刷する印刷ジョブを生成する機能手段である。印刷ジョブ生成部２１６は、画像処理装置１１８から印刷ジョブＩＤの要求を受信すると、印刷ジョブ格納部２１４に格納されている印刷ジョブＩＤの一覧を含む画像データを生成し、当該画像データを印刷する印刷ジョブを生成する。
【００２９】
印刷ジョブ送信部２１８は、印刷ジョブを画像処理装置１１８に送信して印刷を実行させる機能手段である。印刷ジョブ送信部２１８は、画像処理装置１１８から電話回線ネットワーク１３０を介して印刷ジョブＩＤの要求を受信すると、印刷ジョブ生成部２１６が生成した印刷ジョブを送信する。また、印刷ジョブ送信部２１８は、画像処理装置１１８から電話回線ネットワーク１３０を介して印刷ジョブＩＤを受信すると、当該印刷ジョブＩＤが示す印刷ジョブを、ＩＰネットワーク１１０を介して画像処理装置１１８に送信する。
【００３０】
画像処理装置１１８は、制御部２２０と、接続部２２２と、音声再生部２２４と、信号送信部２２６とを含んで構成される。
【００３１】
制御部２２０は、画像処理装置１１８の全体制御を行う機能手段であり、画像処理装置１１８の各種機能を用いて種々の機能を実現する。
【００３２】
接続部２２２は、プリントサーバ１２０との間で電話回線ネットワーク１３０を介した通信接続を制御する機能手段である。接続部２２２は、電話回線ネットワーク１３０を介してダイヤル発信してプリントサーバ１２０を呼び出し、プリントサーバ１２０が応答すると、画像処理装置１１８とプリントサーバ１２０との接続が確立される。
【００３３】
音声再生部２２４は、音声メッセージを再生する機能手段である。音声再生部２２４は、プリントサーバ１２０から電話回線ネットワーク１３０を介して受信する音声メッセージを、画像処理装置１１８が備えるスピーカ（図示せず）から再生する。また、音声再生部２２４は、画像処理装置１１８が有する音声メッセージを再生することもできる。
【００３４】
信号送信部２２６は、電話回線ネットワーク１３０を介してプリントサーバ１２０に種々のダイヤル信号を送信する機能手段である。信号送信部２２６は、ユーザが画像処理装置１１８の操作パネル等の入力インタフェースによって指定したダイヤル番号が示すユーザの認証情報や印刷ジョブＩＤ、印刷ジョブＩＤリストの要求指示を構成するダイヤル信号を送信する。
【００３５】
また、画像処理装置１１８は、画面制御部２２８と、ジョブＩＤ要求部２３０と、印刷ジョブ要求部２３２と、印刷部２３４とを含んで構成される。
【００３６】
画面制御部２２８は、画像処理装置１１８の操作パネルの画面表示を制御する機能手段である。画面制御部２２８は、ロケーションフリー印刷で使用する種々の画面、例えば、ロケーションフリー印刷の開始画面や印刷ジョブＩＤの確認画面等を操作パネルに適宜表示する。
【００３７】
ジョブＩＤ要求部２３０は、プリントサーバ１２０に対して印刷ジョブＩＤのリストを要求する機能手段である。ジョブＩＤ要求部２３０は、ユーザが実行すべき印刷ジョブの印刷ジョブＩＤを知らない場合、プリントサーバ１２０が印刷可能な印刷ジョブの印刷ジョブＩＤを要求する。ジョブＩＤ要求部２３０は、電話回線ネットワーク１３０を介して、印刷ジョブＩＤを要求するダイヤル番号を送信することにより、印刷ジョブＩＤを要求する。
【００３８】
印刷ジョブ要求部２３２は、プリントサーバ１２０に対して印刷ジョブを要求する機能手段である。印刷ジョブ要求部２３２は、電話回線ネットワーク１３０を介して、印刷ジョブＩＤを示すダイヤル番号を送信することにより、当該印刷ジョブＩＤが示す印刷ジョブを要求する。
【００３９】
印刷部２３４は、プリントサーバ１２０から受信した印刷ジョブを実行して印刷させる機能手段である。印刷部２３４は、プリントサーバ１２０からＩＰネットワーク１１０を介して印刷ジョブを受信すると、印刷ジョブを解析して画像データを生成し、画像処理装置１１８の備えるプロッタに印刷させる。
【００４０】
図３は、図１に示すプリントシステムを使用して印刷する場合に実行される一連の処理を示すシーケンス図である。以下、図３を参照して、プリントシステム１００を利用した印刷処理について説明する。
【００４１】
情報処理装置１１２ａ，１１２ｂ，１１２ｃが、ＩＰネットワーク１１０を介してプリントサーバ１２０に印刷ジョブを送信すると、プリントサーバ１２０は、印刷ジョブおよびその印刷ジョブＩＤを印刷ジョブ格納部２１４にバッファリングする。
【００４２】
画像処理装置１１８が、プリントサーバ１２０の電話番号をダイヤル発信してプリントサーバ１２０を呼び出す。プリントサーバ１２０は、画像処理装置１１８からの着信を受けて接続を確立すると、認証情報の入力を要求する旨の音声ガイダンスを送信する。ユーザが画像処理装置１１８の入力インタフェースを用いて認証情報を入力すると、画像処理装置１１８は、当該認証情報を構成する番号をプリントサーバ１２０に送信する。
【００４３】
プリントサーバ１２０は、画像処理装置１１８から受信した認証情報が正当であるか否か判断し、正当である場合には、画像処理装置１１８から印刷ジョブＩＤが送信されるのを待機する。ユーザが画像処理装置１１８の入力インタフェースを用いて印刷ジョブＩＤを入力すると、画像処理装置１１８は、当該認証情報を構成する番号をプリントサーバ１２０に送信する。
【００４４】
プリントサーバ１２０は、画像処理装置１１８から受信した印刷ジョブＩＤが示す印刷ジョブを取得し、ＩＰネットワーク１１０を介して画像処理装置１１８に送信する。画像処理装置１１８は、プリントサーバ１２０から受信した印刷ジョブを実行して印刷を行う。
【００４５】
図４は、図２に示す画像処理装置が実行する処理を示すフローチャートである。以下、図４を参照して、プリントシステム１００の画像処理装置１１８が実行する処理について説明する。
【００４６】
図４の処理は、ユーザが画像処理装置１１８にプリントサーバ１２０の電話番号を入力することにより、ステップＳ４００から開始する。ステップＳ４０１では、画像処理装置１１８の制御部２２０が接続部２２２を呼び出し、接続部２２２が、プリントサーバ１２０の電話番号をダイヤル発信する。ステップＳ４０２では、制御部２２０は、プリントサーバ１２０との接続が確立されたか否か判断する。接続が確立していない場合には（ｎｏ）、制御部２２０は、ステップＳ４０２の処理を反復し、接続が確立するまで待機する。一方、接続が確立した場合には（ｙｅｓ）、処理をステップＳ４０３に分岐する。
【００４７】
ステップＳ４０３では、制御部２２０は、音声再生部２２４を呼び出し、接続の確立直後にプリントサーバ１２０から受信する音声ガイダンスを生成する。ステップＳ４０４では、制御部２２０は信号送信部２２６を呼び出し、信号送信部２２６は、ユーザが入力した認証情報を送信する。ステップＳ４０５では、制御部２２０は、プリントサーバ１２０との接続が維持されているか否か判断する。接続が切断されている場合には（ｎｏ）、処理をステップＳ４１５に分岐して終了する。一方、接続が維持されている場合には（ｙｅｓ）、処理をステップＳ４０６に分岐する。
【００４８】
ステップＳ４０６では、制御部２２０が画面制御部２２８を呼び出し、画面制御部２２８が、ユーザが実行すべき印刷ジョブの印刷ジョブＩＤを知っているか確認する印刷ジョブＩＤの確認画面を操作パネルに表示する。ステップＳ４０７では、画面制御部２２８が、ユーザが入力インタフェースを用いて印刷ジョブＩＤを知っている旨のボタンを押下したか否か判断することにより、ユーザが印刷ジョブＩＤを知っているか否か判断する。ユーザが印刷ジョブＩＤを知っている場合には（ｙｅｓ）、処理をステップＳ４１１に分岐する。一方、ユーザが印刷ジョブＩＤを知らない場合には（ｎｏ）、処理をステップＳ４０８に分岐する。
【００４９】
ステップＳ４０８では、制御部２２０がジョブＩＤ要求部２３０を呼び出し、ジョブＩＤ要求部２３０が、印刷ジョブＩＤを要求する。本実施形態では、画像処理装置１１８は、印刷ジョブＩＤを要求する番号や記号を示すプッシュ信号を、電話回線ネットワーク１３０を介してプリントサーバ１２０に送信することにより、印刷ジョブＩＤを要求する。他の実施形態では、ＩＰネットワーク１１０を介してプリントサーバ１２０に印刷ジョブＩＤを要求してもよい。
【００５０】
ステップＳ４０９では、制御部２２０が、印刷ジョブＩＤリストの印刷ジョブを受信したか否か判断し、受信していない場合には（ｎｏ）、ステップＳ４０９の処理を反復させる。一方、印刷ジョブを受信した場合には（ｙｅｓ）、処理をステップＳ４１０に分岐する。ステップＳ４１０では、制御部２２０は印刷部２３４を呼び出し、印刷部２３４が、印刷ジョブを実行して印刷ジョブＩＤリストを印刷する。
【００５１】
ステップＳ４１１では、制御部２２０が、ユーザが入力インタフェースを介して印刷ジョブＩＤを入力したか否か判断し、印刷ジョブＩＤが入力されていない場合には（ｎｏ）、ステップＳ４１１の処理を反復する。一方、印刷ジョブＩＤが入力された場合には（ｙｅｓ）、処理をステップＳ４１２に分岐する。
【００５２】
ステップＳ４１２では、制御部２２０は印刷ジョブ要求部２３２を呼び出し、印刷ジョブ要求部２３２が、プリントサーバ１２０に印刷ジョブＩＤを送信して印刷ジョブを要求する。本実施形態では、画像処理装置１１８は、印刷ジョブＩＤを示す番号をダイヤルし、電話回線ネットワーク１３０を介してプリントサーバ１２０に送信することにより、印刷ジョブを要求する。他の実施形態では、ＩＰネットワーク１１０を介してプリントサーバ１２０に印刷ジョブＩＤを送信してもよい。
【００５３】
ステップＳ４１３では、制御部２２０が、ＩＰネットワーク１１０を介してプリントサーバ１２０から印刷ジョブを受信したか否か判断し、印刷ジョブを受信していない場合には（ｎｏ）、ステップＳ４１３の処理を反復する。一方、印刷ジョブを受信した場合には（ｙｅｓ）、処理をステップＳ４１４に分岐する。ステップＳ４１４では、制御部２２０は印刷部２３４を呼び出し、プリントサーバ１２０から受信した印刷ジョブを実行して印刷し、ステップＳ４１５で処理が終了する。
【００５４】
図５は、図２に示すプリントサーバが実行する処理を示すフローチャートである。以下、図５を参照して、プリントシステム１００のプリントサーバ１２０が実行する処理について説明する。
【００５５】
図５の処理は、画像処理装置１１８からプリントサーバ１２０が呼び出されることにより、ステップＳ５００から開始する。ステップＳ５０１では、プリントサーバ１２０の制御部２０２は信号送信部２０６を呼び出し、信号送信部２０６は、認証情報の入力を要求する音声メッセージを構成する音声信号を送信する。ステップＳ５０２では、制御部２０２は、画像処理装置１１８から認証情報を受信したか否か判断し、認証情報を受信していない場合には（ｎｏ）、ステップＳ５０２の処理を反復する。一方、認証情報を受信した場合には（ｙｅｓ）、処理をステップＳ５０３に分岐する。
【００５６】
ステップＳ５０３では、制御部２０２が認証部２１０を呼び出し、認証部２１０は、認証情報格納部２１２に格納されている認証情報を参照し、画像処理装置１１８から受信した認証情報が正当であるか否か判断する。認証情報が正当でないと判断した場合には（ｎｏ）、ステップＳ５０４で画像処理装置１１８との通信を切断し、ステップＳ５１０で処理が終了する。一方、画像処理装置１１８から受信した認証情報が正当であると判断した場合には（ｙｅｓ）、処理をステップＳ５０５に分岐する。
【００５７】
ステップＳ５０５では、制御部２０２が、画像処理装置１１８から印刷ジョブＩＤが要求されているか否か判断する。本実施形態では、印刷ジョブＩＤを要求する番号または記号が予め規定されており、プリントサーバ１２０は、当該番号または記号がプッシュされることによって発行されるプッシュ信号を受信したか否かにより、画像処理装置１１８から印刷ジョブＩＤが要求されているか否か判断することができる。
【００５８】
ステップＳ５０５で印刷ジョブＩＤが要求されていないと判断した場合には（ｎｏ）、処理をステップＳ５０８に分岐する。一方、印刷ジョブＩＤが要求されていると判断した場合には（ｙｅｓ）、処理をステップＳ５０６に分岐する。
【００５９】
ステップＳ５０６では、制御部２０２が印刷ジョブ生成部２１６を呼び出し、印刷ジョブ生成部２１６が、印刷ジョブＩＤリストを印刷する印刷ジョブを生成する。ステップＳ５０７では、印刷ジョブ送信部２１８が、印刷ジョブＩＤリストの印刷ジョブを、ＩＰネットワーク１１０を介して画像処理装置１１８に送信する。
【００６０】
本実施形態では、画像処理装置１１８は番号通知によってダイヤル発信してプリントサーバ１２０との接続を確立する。プリントサーバ１２０は、画像処理装置１１８の電話番号と、画像処理装置１１８のＩＰアドレスやＭＡＣアドレス等とが関連付けられた対応付け情報を有しており、当該対応付け情報と、画像処理装置１１８が通知した番号とを用いて、接続相手である画像処理装置を特定することがきる。印刷ジョブ送信部２１８は、このようにして特定した画像処理装置１１８に印刷ジョブを送信する。
【００６１】
ステップＳ５０８では、制御部２０２は、画像処理装置１１８から印刷ジョブＩＤを受信したか否か判断し、受信していない場合には（ｎｏ）、ステップＳ５０８の処理を反復する。一方、印刷ジョブＩＤを受信した場合には（ｙｅｓ）、処理をステップＳ５０９に分岐する。ステップＳ５０９では、印刷ジョブ送信部２１８が、画像処理装置１１８から受信した印刷ジョブＩＤが示す印刷ジョブを印刷ジョブ格納部２１４から取得して画像処理装置１１８に送信し、ステップＳ５１０で処理が終了する。
【００６２】
図６は、本発明のプリントシステムの別の実施形態を示す概略図である。以下、図６を参照して、プリントシステム６００について、プリントシステム１００との相違点を中心に説明する。
【００６３】
プリントシステム６００は、プリントシステム１００と同様に、ＩＰネットワーク６１０および電話回線ネットワーク６３０の２のネットワークで構築されている。電話回線ネットワーク６３０には、画像処理装置６１８と、プリントサーバ６２０と、画像処理装置６３２とが接続されている。
【００６４】
画像処理装置６３２は、ＦＡＸ送受信機能を備えたＭＦＰやＦＡＸ装置等の装置である。本実施形態では、画像処理装置６３２は、電話回線ネットワーク６３０のみに接続されている。
【００６５】
図７は、図６に示すプリントシステム６００に含まれるプリントサーバ６２０および画像処理装置６３２の機能構成を示す図である。以下、図７を参照して、プリントサーバ６２０および画像処理装置６３２が実装する処理機能について、図２に示すプリントサーバ１２０および画像処理装置１１８との相違点を中心に説明する。
【００６６】
プリントサーバ６２０は、ＦＡＸデータ生成部７１６と、ＦＡＸデータ送信部７１８とを含んで構成される。
【００６７】
ＦＡＸデータ生成部７１６は、印刷ジョブＩＤのリストを表示するＦＡＸデータを生成する機能手段である。ＦＡＸデータ生成部７１６は、画像処理装置６３２から印刷ジョブＩＤの要求を受信すると、印刷ジョブ格納部７１４に格納されている印刷ジョブＩＤの一覧を含む画像データを生成し、当該画像データを含むＦＡＸデータを生成する。また、ＦＡＸデータ生成部７１６は、画像処理装置６３２から電話回線ネットワーク６３０を介して印刷ジョブＩＤを受信すると、当該印刷ジョブＩＤが示す印刷ジョブからＦＡＸデータを生成する。
【００６８】
ＦＡＸデータ送信部７１８は、ＦＡＸデータを画像処理装置６３２に送信して印刷させる機能手段である。ＦＡＸデータ送信部７１８は、ＦＡＸデータ生成部７１６が生成したＦＡＸデータを、電話回線ネットワーク６３０を介して画像処理装置６３２に送信する。
【００６９】
画像処理装置６３２は、ＦＡＸデータ要求部７３２と、印刷部７３４とを含んで構成される。
【００７０】
ＦＡＸデータ要求部７３２は、プリントサーバ６２０に対してＦＡＸデータを要求する機能手段である。ＦＡＸデータ要求部７３２は、電話回線ネットワーク６３０を介して、印刷ジョブＩＤを示すダイヤル番号を送信することにより、当該印刷ジョブＩＤが示す印刷ジョブから生成されるＦＡＸデータを要求する。
【００７１】
印刷部７３４は、プリントサーバ６２０から受信したＦＡＸデータを印刷させる機能手段である。印刷部７３４は、プリントサーバ６２０から電話回線ネットワーク６３０を介してＦＡＸデータを受信すると、画像処理装置６３２の備えるプロッタに印刷させる。
【００７２】
図８は、図７に示す画像処理装置が実行する処理を示すフローチャートである。以下、図８を参照して、プリントシステム６００の画像処理装置６３２が実行する処理について、図４に示す処理と相違する点を中心に説明する。
【００７３】
図８の処理は、ステップＳ８００から開始し、ステップＳ８０１〜ステップＳ８０７において、ステップＳ４０１〜ステップＳ４０７と同様の処理を実行する。
【００７４】
ステップＳ８０８では、画像処理装置６３２の制御部７２０がジョブＩＤ要求部７３０を呼び出し、ジョブＩＤ要求部７３０が印刷ジョブＩＤを要求し、画像処理装置６３２との通信を切断する。ステップＳ８０９では、制御部７２０が、印刷ジョブＩＤリストのＦＡＸデータを受信したか否か判断し、受信していない場合には（ｎｏ）、ステップＳ８０９の処理を反復させる。一方、ＦＡＸデータを受信した場合には（ｙｅｓ）、処理をステップＳ８１０に分岐する。
【００７５】
ステップＳ８１０では、制御部７２０は印刷部７３４を呼び出し、印刷部７３４が、ＦＡＸデータを印刷して印刷ジョブＩＤリストを出力し、接続部７２２が、再びダイヤル発信してプリントサーバ６２０と接続する。ステップＳ８１１では、制御部７２０が、ユーザが入力インタフェースを介して印刷ジョブＩＤを入力したか否か判断し、印刷ジョブＩＤが入力されていない場合には（ｎｏ）、ステップＳ８１１の処理を反復する。一方、印刷ジョブＩＤが入力された場合には（ｙｅｓ）、処理をステップＳ８１２に分岐する。
【００７６】
ステップＳ８１２では、制御部７２０はＦＡＸデータ要求部７３２を呼び出し、ＦＡＸデータ要求部７３２が、プリントサーバ６２０に印刷ジョブＩＤを送信してＦＡＸデータを要求し、プリントサーバ６２０との通信を切断する。本実施形態では、画像処理装置６３２は、印刷ジョブＩＤを示す番号をダイヤルし、電話回線ネットワーク７３０を介してプリントサーバ６２０に送信することにより、印刷ジョブＩＤが示す印刷ジョブから生成されるＦＡＸデータを要求する。
【００７７】
ステップＳ８１３では、制御部７２０が、プリントサーバ６２０からＦＡＸデータを受信したか否か判断し、ＦＡＸデータを受信していない場合には（ｎｏ）、ステップＳ８１３の処理を反復する。一方、ＦＡＸデータを受信した場合には（ｙｅｓ）、処理をステップＳ８１４に分岐する。ステップＳ８１４では、制御部７２０は印刷部７３４を呼び出し、プリントサーバ６２０から受信したＦＡＸデータを印刷し、ステップＳ８１５で処理が終了する。
【００７８】
図８に示す実施形態では、画像処理装置６３２は、プリントサーバ６２０との通信を切断してＦＡＸデータを受信するが、他の実施形態では、通信を維持したままＦＡＸデータを受信するように構成してもよい。
【００７９】
図９は、図７に示すプリントサーバが実行する処理を示すフローチャートである。以下、図９を参照して、プリントシステム６００のプリントサーバ６２０が実行する処理について、図５に示す処理と相違する点を中心に説明する。
【００８０】
図９の処理は、ステップＳ９００から開始し、ステップＳ９０１〜ステップＳ９０５において、ステップＳ５０１〜ステップＳ５０５と同様の処理を実行する。
【００８１】
ステップＳ９０６では、プリントサーバ６２０の制御部７０２が、ＦＡＸデータ生成部７１６を呼び出し、ＦＡＸデータ生成部７１６が、印刷ジョブＩＤリストの画像データを含むＦＡＸデータを生成する。ステップＳ９０７では、ＦＡＸデータ送信部７１８が、印刷ジョブＩＤリストを含むＦＡＸデータを、電話回線ネットワーク６３０を介して画像処理装置６３２に送信する。
【００８２】
ステップＳ９０８では、制御部７０２は、画像処理装置６３２から印刷ジョブＩＤを受信したか否か判断し、受信していない場合には（ｎｏ）、ステップＳ９０８の処理を反復する。一方、印刷ジョブＩＤを受信した場合には（ｙｅｓ）、処理をステップＳ９０９に分岐する。ステップＳ９０９では、ＦＡＸデータ生成部７１６が、画像処理装置６３２から受信した印刷ジョブＩＤが示す印刷ジョブを印刷ジョブ格納部７１４から取得してＦＡＸデータを生成する。ステップＳ９１０では、ＦＡＸデータ送信部７１８が、当該ＦＡＸデータを画像処理装置６３２に送信し、ステップＳ９１１で処理が終了する。
【００８３】
これまで本実施形態につき説明してきたが、本発明は、上述した実施形態に限定されるものではなく、本実施形態の構成要件を変更または削除し、または他の構成要件を付加するなど、当業者が想到することができる範囲内で変更することができ、いずれの態様においても本発明の作用・効果を奏する限り、本発明の範囲に含まれるものである。
【符号の説明】
【００８４】
１００…プリントシステム、１１０…ＩＰネットワーク、１１２ａ，１１２ｂ，１１２ｃ…情報処理装置、１１４…画像処理装置、１１６…印刷装置、１１８…画像処理装置、１２０…プリントサーバ、１３０…電話回線ネットワーク、６００…プリントシステム、６１０…ＩＰネットワーク、６１２ａ，６１２ｂ，６１２ｃ…情報処理装置、６１４…画像処理装置、６１６…印刷装置、６１８…画像処理装置、６２０…プリントサーバ、６３０…電話回線ネットワーク、６３２…画像処理装置
【先行技術文献】
【特許文献】
【００８５】
【特許文献１】特開２００９−２９４８８９号公報
【図１】
2013028071.tif 000003
【図２】
2013028071.tif 000004
【図３】
2013028071.tif 000005
【図４】
2013028071.tif 000006
【図５】
2013028071.tif 000007
【図６】
2013028071.tif 000008
【図７】
2013028071.tif 000009
【図８】
2013028071.tif 000010
【図９】
2013028071.tif 000011